【事件の表示】
　特許第２７８５５８６号「高周波加熱装置の電源部の取り付け構造」の特許に対する特許異議の申立てについて、次のとおり決定する。
【結　論】
　訂正を認める。
　特許第２７８５５８６号の特許を維持する。
【理　由】
１．手続の経緯
　特許第２７８５５８６号に係る発明についての出願は、平成４年６月１日に特許出願され、平成１０年５月２９日にその発明について特許の設定登録がなされ、その後、その特許について、異議申立人株式会社東芝より特許異議の申立てがなされ、取消理由通知がなされ、その指定期間内である平成１１年７月２７日に訂正請求がなされた後、訂正拒絶理由が通知され、訂正拒絶理由に対して手続補正書が提出されたものである。
２．訂正の適否についての判断
２−１　訂正請求に対する補正の適否について
　特許権者は、特許請求の範囲の減縮を目的として訂正明細書の請求項１を補正し、これにあわせて訂正明細書の段落【００１２】、段落【００１３】、【００２３】を補正をしようとするものであるから、当該訂正請求に対する補正は、訂正請求書の要旨を変更するものでなく、特許法１２０条の４第３項において準用する同法１３１条第２項の規定に適合する。
２−２　訂正の内容
　特許権者が求めている訂正の内容は、補正された訂正書の記載からみて、次のａ乃至ｄのとおりのものである。
ａ．願書に添付した明細書（以下、「特許明細書」という。）の特許請求の範囲の請求項１に記載された「前記樹脂取付け板は前記プリント基板のスリットから樹脂構造物を突出さる構造とした」を「前記樹脂取り付け板は前記プリント基板のスリットから樹脂構造物を突出させ、この樹脂構造物は前記マグネトロン駆動回路の端子間より大きな昆虫による当該端子間の直接接触を阻止する構造とした」と訂正する。
ｂ．特許明細書の発明の詳細な説明の欄における段落【００１２】に記載された「プリント基板はマグネトロン駆動回路の端子間にスリットを設け、樹脂取り付け板はプリント基板のスリットから樹脂構造物を突出させる構造としたものである。」を「プリント基板はマグネトロン駆動回路の端子間にスリットを設け、樹脂取り付け板は前記プリント基板のスリットから樹脂構造物を突出させ、この樹脂構造物は前記マグネトロン駆動回路の端子間より大きな昆虫による当該端子間の直接接触を阻止する構造としたものである。」と訂正する。
ｃ．特許明細書の発明の詳細な説明の欄における段落【００１３】に記載された「本発明の高周波加熱装置の電源部の取り付け構造は、高圧が発生しているマグネトロン駆動回路の部品の端子間に設けられたスリットに、プリント基板を取り付けている樹脂取り付け板から樹脂構造物を突き出した形になっているため、それが障害物となってゴキブリなどの昆虫の接触によるスパークの発生やさらにそこから派生する発火、発煙というような問題は発生しない。」を「本発明の高周波加熱装置の電源部の取り付け構造は、高圧が発生しているマグネトロン駆動回路の部品の端子間に設けられたスリットに、プリント基板を取り付けている樹脂取り付け板から樹脂構造物を突き出し、この樹脂構造物をゴキブリなどの昆虫が端子間を直接接触できない構造としているため、ゴキブリなどの昆虫の接触によるスパークの発生やさらにそこから派生する発火、発煙というような問題は発生しない。」と訂正する。
ｄ．特許明細書の発明の詳細な説明の欄における段落【００２３】に記載された「(1)プリント基板を樹脂取り付け板に取り付けた状態で、プリント基板の高圧異極端子間に設けられたスリット部分より突き出し板が突き出る構造になっているため突き出し板が障害物となってゴキブリ等の昆虫が量端子間で接触する形で存在できない構造となっている。」を「(1)プリント基板を樹脂取り付け板に取り付けた状態で、プリント基板の高圧異極端子間に設けられたスリット部分より突き出し板が突き出し、これがゴキブリ等の昆虫が両端子間を接触する形で存在することができない構造になっている。」と訂正する。
２−３　訂正の目的の適否、新規事項の有無及び拡張・変更の存否
　上記ａの訂正事項に関連する記載として、特許明細書の発明の詳細な説明の「発明が解決しようとする課題」の項には、その段落【０００９】に「しかしながら、この構成においてはスリットのあるなしにかかわらず図６にあるように高圧端子間にゴキブリなどの昆虫が入り込んだとき、ゴキブリを介して高圧端子間でスパークが発生してしまうことが容易におこりうることが考えられる。最悪、プリント基板上でスパークによる炭化が発生し絶縁性能が著しく劣化すれば、その部分で連続スパークが発生し発火、発煙へとつながる可能性があり極めて危険であった。」こと、段落【００１１】に「そこで本発明は簡単な構成で、ゴキブリなど昆虫による高圧端子間スパークを未然に防止し、且つ高圧端子間の距離を短くしてプリント基板の小型化を実現できる高周波加熱装置の電源部の取り付け構造を提供することを目的にしている。」ことが記載され、また、実施例には、その段落【００１９】に「図２は電源部であるプリント基板を樹脂取り付け板に取り付けた状態の要部斜視図である。各スリットから突き出し板が突出している様子が一見してわかる。例えば高圧が発生する異極端子の一つである三次巻線７−ｃの端子と高圧コンデンサ１３の一方の端子である１３−ａの端子間は突き出し板２６が突き出して障害物となっているためゴキブリ等の昆虫が両極端子間を接触する形で存在しえない構造となっていることがわかる。」ことが記載されており、上記訂正事項ａにおける「前記樹脂取り付け板は前記プリント基板のスリットから樹脂構造物を突出させ、この樹脂構造物は前記マグネトロン駆動回路の端子間より大きな昆虫による当該端子間の直接接触を阻止する構造とした」は、特許明細書に記載された事項の範囲内において訂正するものであるから、特許請求の範囲の減縮に該当し、新規事項の追加に該当せず、また、実質上特許請求の範囲を拡張、又は変更するものでもない。
　また、上記訂正事項ｂ乃至ｄは、特許請求の範囲の減縮に伴う訂正であり、いずれも上記検討したように特許明細書の詳細な発明に記載されているから、明瞭でない記載の釈明に該当するものであり、新規事項の追加に該当せず、また実質上特許請求の範囲を拡張し、又は変更するものでもない。
２−４　独立特許要件
（１）訂正明細書の請求項１に係る発明
　本件の補正された訂正明細書の請求項１に係る発明（以下、「本件の訂正明細書の請求項１に係る発明」という。）は、その特許請求の範囲の請求項１に記載された事項により特定される次のとおりのものである。
　「単方向電源と、少なくとも一個の半導体素子よりなるスイッチング手段と、単方向電源からの電力を前記スイッチング手段によりスイッチングして高周波電力へと変換する電力変換部と、電力変換部の電圧を昇圧する昇圧トランスと、電磁波エネルギーを照射するマグネトロンと、昇圧トランスの二次側の出力を倍圧しマグネトロンを駆動するマグネトロン駆動回路と、単方向電源およびスイッチング手段および電力変換部および昇圧トランスおよびマグネトロン駆動回路を同一もしくは複数基板上に構成するプリント基板と、プリント基板を取り付ける樹脂取り付け板とを備え、プリント基板はマグネトロン駆動回路の端子間にスリットを設け、樹脂取り付け板は前記プリント基板のスリットから樹脂構造物を突出させ、この樹脂構造物は前記マグネトロン駆動回路の端子間より大きな昆虫による当該端子間の直接接触を阻止する構造とした高周波加熱装置の電源部の取り付け構造。」
（２）引用刊行物
　当審において、平成１１年８月１１８日付けで通知した訂正拒絶理由に引用した刊行物１（特開昭６３−２２４２８９号公報）には、電子レンジのプリント基板の絶縁構造に関し、図面とともに、「第４図は電子レンジの回路例を示す。商用電源１１を整流器１２で直流化し、直流リアクトル１３および平滑コンデンサ１４により脈流を除いた後、制御回路１５により駆動されるスイッチングトランジスタ１６，共振コンデンサおよびダンパダイオード１８より成るインバータにより数十キロＨｚの交流に変換する。この交流電圧を昇圧トランス１９により昇圧し、コンデンサ２とダイオード３，４より成る半波倍電圧回路２０により整流してマグネトロン２１に加える。このような電子レンジ回路において、通常は高圧側回路の半波倍電圧回路２０の部分がプリント基板上に構成される。」（第２頁右上欄１０行〜第２頁左下欄３行）こと、「第１図に示すように、プリント基板１の上面に、コンデンサ２および２つのダイオード３，４が平行に配置され、プリント配線（図示せず）により接続されて第４図の半波倍電圧回路２０を構成している。この配置によると、コンデンサ２の正極２ａとダイオード３の負極３ａおよびダイオード３の正極３ｂとダイオード４の負極４ａは隣り合った位置に来るが、第４図から判るようにこれら異極間には高電圧が加わる。これら高電圧の加わる極２ａ，３ａ間および極３ｂ，４ａ間のプリント基板部に開口１ａ，１ｂが設けられ、この開口１ａ，１ｂに極間遮へい用絶縁板５，６が挿入されている。極間遮へい用絶縁板５，６は第３図に示すようにプリント基板面絶縁用絶縁板７と一体形成されており、極間遮へい用絶縁板５，６を第２図に示すようにしてプリント基板１の開口に下面側から挿入した後、プリント基板絶縁用絶縁板７をこのプリント基板１と共にスペーサ９とねじ１０とにより板金製の電子レンジ底板８に固定することにより、本実施例が完成する。」（第２頁左下欄７行〜第２頁右下欄７行）ことが記載されている。
　そして、上記記載からみて、刊行物１には、「商用電源１１、整流器１２、直流リアクトル１３及び平滑コンデンサ１４よりなる回路と、一個のスイッチングトランジスタ１６と、共振コンデンサ１７、昇圧トランス１９の一次巻線、スイッチングトランジスタ１６及びダンパダイオード１８よりなる回路と、インバータにより変換された交流電圧を昇圧する昇圧トランス１９と、マグネトロン２１と、昇圧トランス１９の二次巻線、コンデンサ２、ダイオード３，４及び昇圧トランスの三次巻線とよりなる回路と、コンデンサ２及びダイオード３，４を同一基板上に構成するプリント基板１と、プリント基板１を取り付けるプリント基板面絶縁用絶縁板７とを備え、プリント基板１はコンデンサ２、ダイオード３、ダイオード４の端子間にそれぞれ開口１ａ，１ｂを設け、プリント基板面絶縁用絶縁板７はプリント基板１の開口１ａ，１ｂから極間遮へい用絶縁板５，６を突出させた電子レンジのプリント基板の絶縁構造」に係る発明が記載されているといえる。　
　また、同じく引用した刊行物２（特開平２−２５６１９０号公報）には、高周波加熱器に関し、図面とともに、「第１図、第２図に示すように本発明の基板取付板９は、例えばポリプロピレン樹脂やＡＢＳ樹脂等の非磁性体にて形成されており、一方、インバータ電源基板５は一枚の印刷基板上に高圧トランス１３やこの高圧トランスの二次側に接続される高圧コンデンサ、高圧ダイオード等の２次側の電子部品ならびに高圧トランスの入力を制御し、また周波数をアップする種々の電子回路部品全て配置している。」（第２頁左下欄３〜１１行）ことが記載されている。
（３）対比
　本件訂正明細書の請求項１に係る発明と上記刊行物１に記載された発明を対比すると、刊行物１に記載された「商用電源１１、整流器１２、直流リアクトル１３及び平滑コンデンサ１４よりなる回路」、「スイッチングトランジスタ１６」、「共振コンデンサ１７、昇圧トランス１９の一次巻線、スイッチングトランジスタ１６及びダンパダイオード１８よりなる回路」、「インバータにより変換された交流電圧を昇圧する昇圧トランス１９」、「マグネトロン２１」、「昇圧トランス１９の二次巻線、コンデンサ２、ダイオード３，４及び昇圧トランスの三次巻線とよりなる回路」、「プリント基板面絶縁用絶縁板７」、「開口１ａ，１ｂ」、「極間遮へい用絶縁板５，６」、「電子レンジ」は、それぞれ、本件の訂正明細書の請求項１に係る発明の「単方向電源」、「半導体素子よりなるスイッチング手段」、「高周波電力へと変換する電力変換部」、「電力変換部の電圧を昇圧する昇圧トランス」、「電磁波を照射するマグネトロン」、「昇圧トランスの二次側の出力を倍圧しマグネトロンを駆動するマグネトロン駆動回路」、「プリント基板を取り付ける取付板」、「スリット」、「構造物」、「高周波加熱装置」に相当し、また、甲第１号証に記載されたプリント基板１は、電源部の一部を取り付けるものであるから、両者は、
　「単方向電源と、少なくとも一個の半導体素子よりなるスイッチング手段と、単方向電源からの電力を前記スイッチング手段によりスイッチングして高周波電力へと変換する電力変換部と、電力変換部の電圧を昇圧する昇圧トランスと、電磁波エネルギーを照射するマグネトロンと、昇圧トランスの二次側の出力を倍圧しマグネトロンを駆動するマグネトロン駆動回路と、電源部を取り付けるプリント基板と、プリント基板を取り付ける取り付け板とを備え、プリント基板はマグネトロン駆動回路の端子間にスリットを設け、取り付け板はプリント基板のスリットから構造物を突出させた高周波加熱装置の電源部の取り付け構造」
の点で一致し、次の点で相違する。
イ．本件の訂正明細書の請求項１に係る発明の電源部を取り付けるプリント基板は、単方向電源およびスイッチング手段および電力変換部および昇圧トランスおよびマグネトロン駆動回路を同一もしくは複数基板上に構成するプリント基板であるのに対し、刊行物１記載の発明のものは、コンデンサ２及びダイオード３，４を同一基板上に構成するプリント基板である点。
ロ．本件の訂正明細書の請求項１に係る発明の取付板及び構造物は、樹脂からなるのに対し、刊行物１記載の発明のものは、その点が明らかでない点。
ハ．本件の訂正明細書の請求項１に係る発明の構造物は、マグネトロン駆動回路の端子間より大きな昆虫による端子間の直接接触を阻止する構造となっているのに対し、刊行物１記載の発明の構造物は、そのようになっていない点。
（４）判断
ａ．上記刊行物２には、高周波加熱装置において、電源基板は一枚の印刷基板上に高圧トランスや、高圧トランスの二次側に接続される高圧コンデンサ、高圧ダイオード等の二次側の電子部品６ならびに高圧トランスの入力を制御し、また周波数をアップする種々の電子回路部品をすべて配置する点及びプリント基板を取り付ける取り付け板をポリプロピレン樹脂やＡＢＳ樹脂等の非磁性体で形成する点が記載されているから、上記相違点イ、ロであげた本件の訂正明細書の請求項１に係る発明の構成を示唆しているといえる。
ｂ．しかしながら、上記相違点ハについてみると、本件の訂正明細書の請求項１に係る発明は、上記相違点ハであげた構成を有することにより、本件の訂正明細書に記載された「当該端子間でのゴキブリ等の昆虫によるによるスパーク及びそこから派生する危険モード（基板の炭化による連続スパークの発生、発煙）は一切発生しない安全な高周波加熱装置を提供することができる。」という効果を奏するものである。
　これに対し、上記刊行物２には、上記構造物について何ら記載がない。
　一方、上記刊行物１には、絶縁板すなわち構造物が記載されいるが、この構造物は、絶縁距離が十分でない回路要素相互間の絶縁距離を確保し、プリント基板上に構成された高圧回路を小型化すためのものであって、本件の訂正明細書の請求項１に係る発明の構造物のように昆虫によるスパーク及びそこから派生する危険モードを排除するようにされておらず、また、それを示唆するものもないから、刊行物１に記載された構造物の構成から、上記相違点ハであげた本件の訂正明細書の請求項１に係る発明の構成を当業者が容易に想到し得たとすることができない。
　ｃ．したがって、本件の訂正明細書の請求項１に係る発明は、上記刊行物１及び刊行物２に記載された発明に基づいて、当業者が容易に発明をすることができたものとすることができないから、本件訂正明細書の請求項１に係る発明は、特許出願の際独立して特許を受けることができるものである。
２−５　むすび
　以上のとおりであるから、上記訂正は、特許法等の一部を改正する法律（平成６年法律１１６号）附則第６条第１項の規定によりなお従前の例によるとされる、特許法第１２０条の４第２項及び同条第３項で準用する１２６条第２〜４項の規定に適合するので、当該訂正を認める。
３．特許異議申立てについての判断
３−１　本件発明
　本件の請求項１に係る発明は、補正された訂正明細書の特許請求の範囲の請求項１に記載された事項により特定される上記のとおりのものである。
３ー２　申立の理由の概要
　申立人株式会社東芝は、本件の請求項１に係る発明は、甲第１号証（特開昭６３−２２４２８９号公報）及び甲第２号証（特開平３−１７４２７号公報）に記載された発明に基づいて、当業者が容易に発明をすることができたものであるから、特許法第２９条第２項の規定により特許を受けることができない旨主張している。
３ー３　対比判断
　甲第１号証は、上記刊行物１と同一の刊行物であり、上記２−４で検討したとおりである。
　甲第２号証には、高周波加熱装置において、高周波電源部品の一次側部品と二次側部品とを同一印刷基板上に設置し、基板を保持する取付板を非導電体で形成した点は記載されているが、甲第１号証に記載された取付板は、本件の請求項１に係る発明のように、プリント基板のスリットから樹脂構造物を突出させた構成とはなっていない。
　したがって、上記２−４で検討したと同様の理由により、本件の請求項１に係る発明は、甲第１号証及び甲第２号証に記載された発明に基づいて当業者が容易に発明をすることができたものであるとすることができない。
３−４　むすび
　以上のとおりであるから、特許異議の申し立ての理由及び証拠によっては、本件の請求項１に係る発明についての特許を取り消すことはできない。
　また、他に本件発明を取り消すべき理由を発見しない。
  よって、結論のとおり決定する。
【異議決定日】
平成１２年２月１６日（２０００．２．１６）
【訂正の要旨】
訂正の要旨
ａ．願書に添付した明細書（以下、「特許明細書」という。）の特許請求の範囲の請求項１に記載された「前記樹脂取付け板は前記プリント基板のスリットから樹脂構造物を突出さる構造とした」を「前記樹脂取り付け板は前記プリント基板のスリットから樹脂構造物を突出させ、この樹脂構造物は前記マグネトロン駆動回路の端子間より大きな昆虫による当該端子間の直接接触を阻止する構造とした」と訂正する。
ｂ．特許明細書の発明の詳細な説明の欄における段落【００１２】に記載された「プリント基板はマグネトロン駆動回路の端子間にスリットを設け、樹脂取り付け板はプリント基板のスリットから樹脂構造物を突出させる構造としたものである。」を「プリント基板はマグネトロン駆動回路の端子間にスリットを設け、樹脂取り付け板は前記プリント基板のスリットから樹脂構造物を突出させ、この樹脂構造物は前記マグネトロン駆動回路の端子間より大きな昆虫による当該端子間の直接接触を阻止する構造としたものである。」と訂正する。
ｃ．特許明細書の発明の詳細な説明の欄における段落【００１３】に記載された「本発明の高周波加熱装置の電源部の取り付け構造は、高圧が発生しているマグネトロン駆動回路の部品の端子間に設けられたスリットに、プリント基板を取り付けている樹脂取り付け板から樹脂構造物を突き出した形になっているため、それが障害物となってゴキブリなどの昆虫の接触によるスパークの発生やさらにそこから派生する発火、発煙というような問題は発生しない。」を「本発明の高周波加熱装置の電源部の取り付け構造は、高圧が発生しているマグネトロン駆動回路の部品の端子間に設けられたスリットに、プリント基板を取り付けている樹脂取り付け板から樹脂構造物を突き出し、この樹脂構造物をゴキブリなどの昆虫が端子間を直接接触できない構造としているため、ゴキブリなどの昆虫の接触によるスパークの発生やさらにそこから派生する発火、発煙というような問題は発生しない。」と訂正する。
ｄ．特許明細書の発明の詳細な説明の欄における段落【００２３】に記載された「（１）プリント基板を樹脂取り付け板に取り付けた状態で、プリント基板の高圧異極端子間に設けられたスリット部分より突き出し板が突き出る構造になっているため突き出し板が障害物となってゴキブリ等の昆虫が量端子間で接触する形で存在できない構造となっている。」を「（１）プリント基板を樹脂取り付け板に取り付けた状態で、プリント基板の高圧異極端子間に設けられたスリット部分より突き出し板が突き出し、これがゴキブリ等の昆虫が両端子間を接触する形で存在することができない構造になっている。」と訂正する。
（５４）【発明の名称】
高周波加熱装置の電源部の取り付け構造
（５７）【特許請求の範囲】
　【請求項１】単方向電源と、少なくとも一個の半導体素子よりなるスイッチング手段と、前記単方向電源からの電力を前記スイッチング手段によりスイッチングして高周波電力へと変換する電力変換部と、前記電力変換部の電圧を昇圧する昇圧トランスと、電磁波エネルギーを照射するマグネトロンと、前記昇圧トランスの二次側の出力を倍圧し前記マグネトロンを駆動するマグネトロン駆動回路と、前記単方向電源および前記スイッチング手段および前記電力変換部および前記昇圧トランスおよび前記マグネトロン駆動回路を同一または複数の基板上に構成するプリント基板と、前記プリント基板を取り付ける樹脂取り付け板とを備え、前記プリント基板は前記マグネトロン駆動回路の端子間にスリットを設け、前記樹脂取り付け板は前記プリント基板のスリットから樹脂構造物を突出させ、
この樹脂構造物は前記マグネトロン駆動回路の端子間より大きな昆虫による当該端子間の直接接触を阻止する
【発明の詳細な説明】
　【０００１】
　【産業上の利用分野】
　本発明は食品や流体等を加熱するための高周波加熱装置に関し、さらに詳しく言えば電源装置に高周波電力発生する半導体電力変換器を用いた高周波加熱装置に関するものである。
　【０００２】
　【従来の技術】
　家庭用の電子レンジ等の高周波加熱装置の電源回路は図４に示すようなものが多く用いられている。商用電源１はダイオードブリッジ２、インダクタ３、平滑コンデンサ４によって形成される単方向電源５によって単方向の電圧に変換される。共振コンデンサ６、昇圧トランス７の一次巻線７−ａ、スイッチング手段であるトランジスタ８、ダイオード９からなる電力変換部１０は、入力電流検出手段１２の値をモニターしてほぼ入力電流が一定値になるようにコントロールしながらトランジスタ８をスイッチングする電力制御部１１によって、単方向電源５の直流電力を高周波電力へと変換している。
　【０００３】
　電力変換部１０が出力する高周波電力は二次巻線７−ａ、ダイオード１４，１５、高圧コンデンサ１３、三次巻線７−ｃからなるマグネトロン駆動回路１６によって高電圧に変換されマグネトロン１８に印加される。
　【０００４】
　すなわち、昇圧トランス７の二次巻線７−ｂには１．５〜１．７ＫＶの高圧が発生し、高圧コンデンサ１３とダイオード１４により半波倍電圧整流されさらに３．７〜４，０ＫＶの高圧に昇圧されたのちダイオード１５を介してマグネトロン１６に高圧が印加されることになる。
　【０００５】
　一方三次巻線７−ｃによってマグネトロンのカソードは加熱され電子が励起されているため、高圧を印加された状態のマグネトロン１５は発振を開始し電磁波エネルギーを加熱室の内部に照射して食品等を加熱する。
　【０００６】
　一般に前述した回路部品はマグネトロン１６と商用電源１を除いてプリント基板１７上にハンダ付け等で固定配置されておりさらに、プリント基板は固定用の樹脂取り付け板へと固定され、その状態で器体に取り付けられている。しかしながらこのようにプリント基板１７上に高圧が発生する部品を多く配置する関係上、絶縁距離を充分に確保するためプリント基板の面積が大きくなってしまうという問題があった。
　【０００７】
　その問題を解決する手段として図５（ａ）のプリント基板の断面図、（ｂ）図の上面図にあるように異極の高圧端子間のプリント基板上に打ち抜きのスリット１９を設ける構成をとっている。３４−ａおよび３４−ｂはプリント基板上の異極の端子で端子間には高圧が発生している。またこれらの端子はパターン面でハンダ２０によって固定されている。
　【０００８】
　ｂ図を見るとスリットが無い場合ａという沿面距離であったが、スリットを設けることによってｂという経路の沿面距離に伸びることになる。また１８−ａ，１８−ｂの直線距離を見ても中間に空間としてのスリットが存在するため絶縁性能は向上することになる。
　【０００９】
　【発明が解決しようとする課題】
　しかしながら、この構成においてはスリットのあるなしにかかわらず図６にあるように高圧端子間にゴキブリなどの昆虫が入り込んだとき、ゴキブリを介して高圧端子間でスパークが発生してしまうことが容易におこりうることが考えられる。最悪、プリント基板上でスパークによる炭化が発生し絶縁性能が著しく劣化すれば、その部分で連続スパークが発生し発火、発煙へとつながる可能性があり極めて危険であった。
　【００１０】
　またスリットの場合、高圧端子間にプリント基板ではない空間部分を設けて絶縁性能を確保しているため所望の絶縁性能をえる為の端子間距離はおのずと決まってしまう。それがプリント基板の小型化を阻害する大きな要因であった。
　【００１１】
　そこで本発明は簡単な構成で、ゴキブリなど昆虫による高圧端子間スパークを未然に防止し、且つ高圧端子間の距離を短くしてプリント基板の小型化を実現できる高周波加熱装置の電源部の取り付け構造を提供することを目的にしている。
　【００１２】
　　【課題を解決するための手段】
　前記目的を達成するために本発明は単方向電源と、少なくとも一個の半導体素子よりなるスイッチング手段と、単方向電源からの電力をスイッチング手段によりスイッチングして高周波電力へと変換する電力変換部と、電力変換部の出力を昇圧する昇圧トランスと、電磁波エネルギーを照射するマグネトロンと、昇圧トランスの二次側の出力を倍圧しマグネトロンを駆動するマグネトロン駆動回路と、単方向電源およびスイッチング手段および電力変換部および昇圧トランスおよびマグネトロン駆動回路を同一もしくは複数基板上に構成するプリント基板と、プリント基板を取り付ける樹脂取り付け板とを備え、プリント基板はマグネトロン駆動回路の端子間にスリットを設け、樹脂取り付け板はプリント基板のスリットから樹脂構造物を突出させ、
この樹脂構造物は前記マグネトロン駆動回路の端子間より大きな昆虫による当該端子間の直接接触を阻止する
　【００１３】
　　【作用】
　本発明の高周波加熱装置の電源部の取り付け構造は、高圧が発生しているマグネトロン駆動回路の部品の端子間に設けられたスリットに、プリント基板を取り付けている樹脂取り付け板から樹脂構造物を突き出し
、この樹脂構造物をゴキブリなどの昆虫が端子間を直接接触できない構造としているため
　【００１４】
　またスリット内に樹脂絶縁物が挿入されているため、従来のスリットのみの空間による構成の絶縁構造よりはるかに強化された絶縁構造とすることが可能である。
　【００１５】
　　【実施例】
　以下本発明の一実施例における高周波加熱装置の電源部の取り付け構造について図面とともに説明する。
　【００１６】
　図４は電源部の回路図であり既に説明をした部分については説明を省く。電源部は一枚のプリント基板１７によって構成されており商用電源１との接続端子２１、マグネトロン１６との接続端子２２が基板上に配置されておりケーブルによって各々を接続する構成となっている。プリント基板１７のシャーシヘの接続はアース端子２３部分でビスを締めることによってシャーシに電気的に接続できる構成となっている。
　【００１７】
　図１は電源部であるプリント基板を樹脂取り付け板に取り付ける様子を示す要部斜視図である。樹脂取り付け板２４にはプリント基板１７を取り付けた際、スリット２８，２９，３０と勘合する位置に樹脂構造物たる突き出し板２５，２６，２７を成形している。ここではスリット２８と突き出し板２５が、スリット２９と突き出し板２６が、スリット３０と突き出し板２７がうまく勘合してプリント基板１７を樹脂取り付け板２４に取り付けた時にスリットから突き出し板が突き出る構成となっている。
　【００１８】
　２３はアース端子でパターン面で所定の回路に接続されている。そしてプリント基板１７とシャーシへ接続されるアース金具３２とともにビス３１によって樹脂取り付け板２４に締めつけて固定される。その時、アース端子２３とアース金具３２はビス３１によって電気的に接続され、図４の回路図に示すようにシャーシにアースされる。ここでジャンパー線３３は昇圧トランス７の二次巻線７−ｂの一端と高圧コンデンサ１３を回路的に接続するものである。
　【００１９】
　図２は電源部であるプリント基板を樹脂取り付け板に取り付けた状態の要部斜視図である。各スリットから突き出し板が突出している様子が一見してわかる。
　例えば高圧が発生する異極端子の一つである三次巻線７−ｃの端子と高圧コンデンサ１３の一方の端子である１３−ａの端子間は突き出し板２６が突き出して障害物となっているためゴキブリ等の昆虫が両極端子間を接触する形で存在しえない構造となっていることがわかる。
　【００２０】
　図３はスリットおよび突き出し板の部分の断面図である。従来空間も含めてＤという絶縁距離であったものが、突き出し板を挿入することによってａ＋ｂ＋ｃ＋ｄ＋ｅというＤより充分長い絶縁距離を確保できる。また空間の部分に絶縁材料である突き出し板２９が存在するため絶縁性能はスリットだけの状態より飛躍的に向上することになり所望の絶縁性能がえられれば端子間距離Ｄを短縮してプリント基板上の部品配置スペースを少なくすることも可能になってくる。
　【００２１】
　なお絶縁性能向上のため突き出し板に用いる樹脂は絶縁性能の優れたものを使用することが望ましい。
　【００２２】
　【発明の効果】
　以上のように請求項１の高周波加熱装置の電源部の取り付け構造においては以下の効果が得られる。
　【００２３】
　（１）プリント基板を樹脂取り付け板に取り付けた状態で、プリント基板の高圧異極端子間に設けられたスリット部分より突き出し板が突き出し、これがゴキブリ等の昆虫が両端子間を接触する形で存在することができない構造になっている。従って当該端子間でのゴキブリ等の昆虫によるスパークおよびそこから派生する危険モード（基板の炭化による連続スパークでの発火、発煙）は一切発生しない安全な高周波加熱装置を提供することができる。
　【００２４】
　（２）スリット部分に絶縁材料である樹脂が介在する形になるため絶縁性能はスリット空間そのままの時と比べて飛躍的に向上するとともに、スリット内の突き出し部分を考慮すると絶縁距離も長くなり、絶縁性能はさらに向上する。従って高圧端子間の距離も短く設計することも可能になりプリント基板の省スペース化を実現できることになる。
【図面の簡単な説明】
　【図１】
　本発明の一実施例における高周波加熱装置の電源部の要部斜視図
　【図２】
　本発明の一実施例における高周波加熱装置の電源部の取り付け構造を示す要部斜視図
　【図３】
　同スリットおよび突き出し部の要部断面図
　【図４】
　同電源部の回路図
　【図５】
　（ａ）従来のプリント基板のスリットの断面図
　（ｂ）同上面図
　【図６】
　従来のプリント基板および樹脂取り付け板の断面図
　【符号の説明】
　５　単方向電源部
　７　昇圧トランス
　８　スイッチング手段
　１０　電力変換部
　１６　マグネトロン駆動回路
　１７　プリント基板
　１８　マグネトロン
　２４　樹脂取り付け板
　２５　突き出し板
　２６　突き出し板
　２７　突き出し板
　２８　スリット
　２９　スリット
　３０　スリット